(57)【要約】      （修正有）【課題】より高く、より遠くまで飛ばすことができ、飛翔の姿勢が優美であって、かつ不使用時において携帯、又は収納のいずれにも便利な竹とんぼを提供する。【解決手段】中央の対向する位置にそれぞれ嵌合部３１を形成した羽根部３と、上端に、該羽根部３の該嵌合部３１に対応する嵌装部４１１を形成して嵌装座４１とし、かつ該嵌装座４１の下方には適宜な長さの軸体４２が延伸してなる軸部４と、を含んでなる。【選択図】図２
0003220477.tif 000002
【実用新案登録請求の範囲】
【請求項１】
中央の対向する位置にそれぞれ嵌合部を形成した羽根部と、
上端に、該羽根部の該嵌合部に対応する嵌装部を形成して嵌装座とし、かつ該嵌装座の下方には適宜な長さの軸体が延伸してなる軸部と、を含んでなり、
使用する場合は、該軸部の該嵌装座に形成した該嵌装部を、該羽根部の該嵌合部に嵌挿し、両手の掌で該軸部の該軸体を挟み急速に回転させ、該軸部が回転すると、該羽根部が急速に回転し、遠心力によって該羽根部が該軸部から離れ、上方に飛翔し、竹とんぼの重量が軽減されて、より高く、遠く飛翔することができ、かつ飛翔の姿勢が優美なものとなり、不使用時には該羽根部を該軸部から外した状態にすることで、携帯、収納のいずれにも便利となることを特徴とする竹とんぼ。
【請求項２】
前記羽根部が長方形の板状を呈し、かつ該羽根部の中央の位置において両側辺から、それぞれ内方向に切り欠いて形成した切り欠き溝として、該軸部の該嵌挿座の嵌装部の挿入に供することを特徴とする請求項１に記載の竹とんぼ。
【請求項３】
前記羽根部が中心部を具え、かつ該中心部から外方向に複数の羽根が延伸するとともに、該中心部に挿入孔を２つ穿設して嵌合部とし、該軸部の該嵌装座に形成した該嵌装部の挿入に供することを特徴とする請求項１に記載の竹とんぼ。
【請求項４】
前記軸部の該嵌装部に、上端縁部を切り欠いて凹状部を形成し、かつ上端縁部の両端に、上方に突起した嵌装部を形成することを特徴とする請求項１に記載の竹とんぼ。
【考案の詳細な説明】
【技術分野】
【０００１】
この考案は、玩具の竹とんぼに関する。
【背景技術】
【０００２】
竹とんぼは、長きにわたって伝えられてきた玩具の一種であって、その伝統的な構造は、周知のものとなっている。従来の竹とんぼは、図１に開示するように竹を削り（又はプラスチック材を一体成型して）羽根部１を形成し、かつ羽根部１の中心の位置に孔部を形成して軸２の一端を嵌挿し、軸２が羽根部１の中央底部から下方に垂直に延伸するように設ける。係る構成の竹とんぼを飛ばす場合は、両手の掌で軸２を挟んで急速に回転させる。すると羽根部１が回転して竹とんぼが飛翔する。
【０００３】
但し、係る従来の竹とんぼの構造は、実際に使用した経験によれば。以下の問題が存在することが分かった。即ち、第１に、軸２が羽根部１の底面側に固定されるため、飛翔する場合には、軸２がある程度の重量を持つことから飛翔する高度を上げることができない。
【０００４】
第２の問題として、羽根部１は、飛翔時において底面側に軸１が接続していることから、羽根部１に対する干渉が発生するのみならず、竹とんぼの飛翔する姿勢が優美ではなくなる。
【０００５】
第３の問題として、軸２が羽根部１の底面側に固定され、かつ下方に向かって９０°の角度を呈している。よって、竹とんぼの不使用時において、携帯、又は収納のいずれにも不便である。
【考案の概要】
【考案が解決しようとする課題】
【０００６】
この考案は、より高く、より遠くまで飛ばすことができ、飛翔の姿勢が優美であって、かつ不使用時において携帯、又は収納のいずれにも便利な竹とんぼを提供することを課題とする。
【課題を解決するための手段】
【０００７】
そこで、本考案の竹とんぼは、羽根部と軸部とを具え、該羽根部は中央の対向する位置にそれぞれ嵌合部を形成してなり、該軸部は、上端に該羽根部の該嵌合部に対応する嵌装部を形成して嵌装座とし、かつ該嵌装座の下方には適宜な長さの軸体が延伸してなる。使用する場合は、該軸部の該嵌装座に形成した該嵌装部を、該羽根部の該嵌合部に嵌挿し、両手の掌で該軸部の該軸体を挟み急速に回転させ、該軸部が回転すると、該羽根部が急速に回転し、遠心力によって該羽根部が該軸部から離れ、上方に飛翔し、竹とんぼの重量が軽減されて、より高く、遠く飛翔することができ、かつ飛翔の姿勢が優美なものとなり、不使用時には該羽根部を該軸部から外した状態にすることで、携帯、収納のいずれにも便利となる。
【０００８】
前記羽根部は長方形の板状を呈し、かつ該羽根部の中央の位置において両側辺から、それぞれ内方向に切り欠いて形成した切欠き溝として、該軸部の該嵌挿座の嵌装部の挿入に供する。
【０００９】
また、前記羽根部が中心部を具え、該中心部から外方向に複数の羽根が延伸するとともに、該中心部に挿入孔を２つ穿設して嵌合部とし、該軸部の該嵌装座に形成した該嵌装部の挿入に供する形態であってもよい。
【００１０】
前記軸部の該嵌装部には、上端縁部を切り欠いて凹状部を形成して、上端縁部の両端には上方に突起した嵌装部を形成する。
【図面の簡単な説明】
【００１１】
【図１】従来の竹とんぼの外観を示した斜視図である。
【図２】この考案による竹とんぼを分解した状態を示した説明図である。
【図３】この考案における羽根部を軸に嵌装した状態を示した斜視図である。
【図４】この考案による竹とんぼの使用態様を示した説明図である。
【図５】他の実施の形態による竹とんぼを示した説明図である。
【考案を実施するための形態】
【実施例】
【００１２】
図２は、この考案による竹とんぼを分解した状態の説明図である。図面に開示するように、この考案による竹とんぼは、羽根部３と、軸部４とを含む。羽根部３の中央には、対向する位置に嵌合部３１をそれぞれ形成する。実施例において羽根部２は長方形の板状を呈し、嵌合部３１は、羽根部２の中央の位置において両側辺から、それぞれ内方向に切り欠いて形成した切り欠き溝とする。
【００１３】
軸部４は、上端に嵌装座４１を設ける。嵌装座４１は、羽根部３の嵌合部３１に対応する位置に嵌装部４１１を形成する。また、嵌装座４１の下方には適宜な長さの軸体４２が延伸する。実施例において嵌装部４１１は嵌装座４１の上端縁部を切り欠いて形成した凹状部であって、係る凹状部を形成することで、上端縁部の両端に、上方に突起した嵌装部４１１を形成する。
【００１４】
上述するそれぞれの部材によって竹とんぼを構成する。使用する場合は、軸部４の嵌装座４１に形成した嵌装部４１１を、羽根部３の嵌合部３１に嵌挿し、両手の掌で軸部４の軸体４２を挟み急速に回転させる。軸部４が回転すると、羽根部３が急速に回転し、遠心力によって羽根部３が軸部４から離れ、上方に飛翔する。よって、竹とんぼの重量が軽減されて、より高く、遠く飛翔することができ、かつ飛翔の姿勢が優美なものとなる。不使用時には羽根部３を軸部４から外した状態にすることで、携帯、収納のいずれにも便利となる。
【００１５】
図３に、この考案における羽根部３を軸部４に取り付けた状態を開示する。図面に開示するように、この考案による竹とんぼを使用する場合は、軸部４の嵌装座４１に形成した嵌装部４１１を、羽根部３の嵌合部３１に嵌挿し、軸部４を羽根部３の下方に位置決めする。よって、従来の竹とんぼのような態様となり、従来の竹とんぼのように両手の掌で軸部４の軸体４２を挟み急速に回転させる。軸部４が回転すると、羽根部３が急速に回転し、遠心力によって羽根部３が軸部４から離れ、上方に飛翔する。
【００１６】
図４は、この考案による竹とんぼの使用態様を示した説明図である。図面に開示するように、この考案による竹とんぼを使用する場合は、図３に開示するように軸部４の嵌装座４１に形成した嵌装部４１１を、羽根部３の嵌合部３１に嵌挿し、軸部４を羽根部３の下方に位置決めする。さらに、両手の掌で軸部４の軸体４２を挟み急速に回転させる。軸部４が回転すると、羽根部３が急速に回転する。羽根部３が回転すると、遠心力によって軸部４から離れ、上方に飛翔する。この場合、羽根部３は、従来の竹とんぼに見られるような如何なる軸体をも下方に接続していないため、竹とんぼの羽根部３の重量が軽減し、より高く、遠く飛翔することができる。よって、竹とんぼを飛ばす面白みが増す。しかも、羽根部３が独立して飛翔するため、優美な飛翔の姿勢が得られる。
【００１７】
図５は、他の実施の形態による竹とんぼの斜視図である。図面に開示するように、この考案における羽根部３は、上述する実施例のように長方形の板状を呈する羽根を具えるのみならず、羽根部３が中心部３２を具え、かつ中心部３２から外方向に複数の羽根３３が延伸する形態（図面に開示する実施例においては３枚の羽根３を具え、かつ３枚の羽根３を等間隔で配列する）であってもよい。また、中心部３２に挿入孔３２を２つ穿設して嵌合部３１とし、軸部４の嵌装座４１に形成した嵌装部４１１の挿入に供する。軸部４の嵌装座４１に形成した嵌装部４１１を嵌合部３１に挿入することで、軸部４が羽根部３の下方に位置決めされる、両手の掌で軸部４の軸体４２を挟み急速に回転させと軸部４が回転して、羽根部３が急速に回転し、遠心力によって羽根部３が軸部４から離れ、上方に飛翔する。
【００１８】
以上はこの考案の好ましい実施の形態を述べたものであって、この考案の実施の範囲を限定するものではない。よって、部分的な修正、または変更などであって、この考案の精神下においてなされたものは、この考案の実用新案登録請求の範囲に含まれるものとする。
【符号の説明】
【００１９】
１      羽根部
２      軸
３      羽根部
３１    嵌合部
３２    中心部
３３    羽根
４      軸部
４１    嵌装座
４１１  嵌装部
４２    軸体
【図１】
0003220477.tif 000003
【図２】
0003220477.tif 000004
【図３】
0003220477.tif 000005
【図４】
0003220477.tif 000006
【図５】
0003220477.tif 000007